(57)【要約】【課題】装置使用者が所望する画像を速やかに探し出せるように、画像データを記憶する事が可能な画像処理装置を提供する。【解決手段】画像データを取得する画像取得手段と、スケジュールデータを記憶するスケジュールデータ記憶手段と、前記スケジュールデータ記憶手段にスケジュールデータを入力するためのスケジュールデータ入力手段と、前記画像データを取得した日時を取得する日時取得手段と、前記日時取得手段で取得した日時と前記スケジュール記憶手段に記憶されているスケジュールデータの日時を比較する日時比較手段と、前記日時比較手段の比較結果に応じて、前記画像取得手段で取得した画像データに付加する付加手段と前記付加手段でを付加した画像データを記憶する画像データ記憶手段とを備え、画像取得日時およびスケジュールデータに応じて画像データを記憶する。【選択図】    図７
2006287377.tif 000002
【特許請求の範囲】
【請求項１】
画像データを取得する画像取得手段と、
スケジュールデータを記憶するスケジュールデータ記憶手段と、
前記スケジュールデータ記憶手段にスケジュールデータを入力するためのスケジュールデータ入力手段と、
前記画像データを取得した日時を取得する日時取得手段と、
前記日時取得手段で取得した日時と前記スケジュール記憶手段に記憶されているスケジュールデータの日時を比較する日時比較手段と、
前記日時比較手段の比較結果に応じて、前記画像取得手段で取得した画像データに付加する付加手段と、
前記付加手段でを付加した画像データを記憶する画像データ記憶手段と
を具備したことを特徴とする画像記憶装置。
【請求項２】
前記画像データ記憶手段は、フォルダを用いて記憶データを管理する管理手段と、
前記管理手段でのフォルダ名と前記名称付加手段で付加した名称とを比較する、名称比較手段とを具備したことを特徴とする請求項１に記載の画像記憶装置。
【請求項３】
前記管理手段でのフォルダ名は前記名称付加手段で付加した名称の一部を用いることを特徴とする請求項２に記載の画像記憶装置。
【請求項４】
前記名称付加手段は、前記スケジュール記憶手段に記憶されているスケジュールデータの項目のうち、スケジュールの件名を付加することを特徴とする請求項１乃至３いずれかに記載の画像記憶装置。
【請求項５】
前記名称付加手段は、前記スケジュール記憶手段に記憶されているスケジュールデータの項目のうち、スケジュールの分類を付加することを特徴とする請求項１乃至３いずれかに記載の画像記憶装置。
【請求項６】
前記日時比較手段はまず日付を比較し、その後に時刻を比較することを特徴とする請求項１乃至５いずれかに記載の画像記憶装置。
【請求項７】
前記画像取得手段は、画像を撮影する撮像手段であることを特徴とする請求項１乃至６いずれかに記載の画像記憶装置。
【請求項８】
前記画像取得手段は外部記憶装置に記憶されている画像データを取得することを特徴とする請求項１乃至６いずれかに記載の画像記憶装置。
【請求項９】
ネットワークに接続を行うネットワーク接続手段と、
前記画像取得手段は、前記ネットワーク接続によりネットワーク接続を行い、他の装置の記憶手段に記憶されている画像データを取得することを特徴とする請求項１乃至６いずれかに記載の画像記憶装置。
【請求項１０】
画像記憶装置に備えられた画像記憶方法であって、
画像データを取得するステップと、
スケジュールデータを記憶するステップと、
前記スケジュールデータを入力するためのステップと、
前記画像データを取得した日時を取得するステップと、
前記日時取得ステップで取得した日時と、前記スケジュールデータの日時を比較するステップと、
比較の結果に応じて取得した画像データにデータ名を付加するステップと、
データ名を付加した画像データを記憶するステップを有することを特徴とする画像記憶方法。
【請求項１１】
画像記憶装置に搭載されたコンピュータによって実行される、所定の機能を起動するためのプログラムであって、
前記コンピュータに画像データを取得する機能と、
スケジュールデータを記憶する機能と、
前記スケジュールデータを入力するための機能と、
前記画像データを取得した日時を取得する機能と、
前記日時取得機能で取得した日時と、前記スケジュールデータの日時を比較する機能と、
比較の結果に応じて取得した画像データにデータ名を付加する機能と、
データ名を付加した画像データを記憶する機能とを実現させることを特徴とするプログラム。
【発明の詳細な説明】
【技術分野】
【０００１】
本発明は、例えばデジタルスチルカメラ（以下「デジタルカメラ」と略称する）等における画像記憶装置、とこの装置で用いられる画像記憶方法及び画像記憶プログラムに関するものである。
【背景技術】
【０００２】
従来、デジタルカメラなどで撮影を行い、撮影データをメモリに記憶する場合、デジタルカメラ固有の文字列に加えてシリアルナンバーを撮影画像データの名称としてメモリに記憶し撮影画像データを管理していく方法が考えられている。
【０００３】
また、撮影データに関連する情報を付帯情報として付け、その付帯情報に応じて分類し、管理するという方法も考えられている（例えば、特許文献１参照）。
【特許文献１】特開２００３−２７１６１７号公報
【発明の開示】
【発明が解決しようとする課題】
【０００４】
上述したように、従来、撮影画像データに関連する付帯情報を用いて撮影画像データを関する方法はあった。しかしながら、このような方法では、装置使用者が意図的に付加した情報ではないため、後で撮影画像データを閲覧する場合に所望の撮影画像データがどこに記憶されているかがわかりにくいなどの問題がある。
【０００５】
本発明は上記のような実情に鑑みてなされたもので、その目的とするところは、装置使用者が所望する画像を速やかに探し出せるように、画像データを記憶する事が可能な画像処理装置を提供することにある。
【課題を解決するための手段】
【０００６】
本発明の請求項１に係わる画像記憶装置は、画像データを取得する画像取得手段と、スケジュールデータを記憶するスケジュールデータ記憶手段と、前記スケジュールデータ記憶手段にスケジュールデータを入力するためのスケジュールデータ入力手段と、前記画像データを取得した日時を取得する日時取得手段と、前記日時取得手段で取得した日時と前記スケジュール記憶手段に記憶されているスケジュールデータの日時を比較する日時比較手段と、前記日時比較手段の比較結果に応じて、前記画像取得手段で取得した画像データに付加データを付加する付加手段と前記付加手段で付加データを付加した画像データを記憶する画像データ記憶手段とを具備して構成される。
【０００７】
この様な構成によれば、画像を取得した時点で記憶されているスケジュールデータの内容と比較を行い、該当するスケジュールデータが存在する場合は、そのスケジュールデータからデータを取得して画像データ名として記憶するので、画像再生時などに所望の画像データが探しやすくなる。
【０００８】
本発明の請求項２は前記請求項１記載の画像記憶装置において、前記画像データ記憶手段は、フォルダを用いて記憶データを管理する管理手段と、前記管理手段でのフォルダ名と前記名称付加手段で付加した名称とを比較する、名称比較手段とを具備して構成される。
【０００９】
この様な構成によれば、画像データの管理はフォルダを用いて行われ、該当するフォルダ名のフォルダ内で画像データを管理するので、画像再生時などに所望の画像データが探しやすくなる。
【００１０】
本発明の請求項３は前記請求項２記載の画像記憶装置において、前記管理手段でのフォルダ名は前記名称付加手段で付加した名称の一部を用いることを特徴とする。
【００１１】
この様な構成によれば、フォルダ名にスケジュールデータのデータを用いることにより所望するフォルダが簡単に作成することができる。
【００１２】
本発明の請求項４は前記請求項１乃至３いずれかに記載の画像記憶装置において、前記名称付加手段は、前記スケジュール記憶手段に記憶されているスケジュールデータの項目のうち、スケジュールの件名を付加することを特徴とする。
【００１３】
この様な構成によれば、記憶する画像データにスケジュールの件名を付加するので、画像再生時などに所望の画像データが探しやすくなる。
【００１４】
本発明の請求項５は前記請求項１乃至３いずれかに記載の画像記憶装置において、前記名称付加手段は、前記スケジュール記憶手段に記憶されているスケジュールデータの項目のうち、スケジュールの分類を付加することを特徴とする。
【００１５】
この様な構成によれば、記憶する画像データにスケジュールの分類名を付加するので、画像再生時などに所望の画像データが探しやすくなる。
【００１６】
本発明の請求項６は前記請求項１乃至５いずれかに記載の画像記憶装置において、前記日時比較手段はまず日付を比較し、その後に時刻を比較することを特徴とする。
【００１７】
この様な構成によれば、日付を先に比較を行い該当するスケジュールデータが存在しない場合は、時刻の比較を行わないため、画像データ記憶の処理が早くなる。
【００１８】
本発明の請求項７は前記請求項１乃至６いずれかに記載の画像記憶装置において、前記画像取得手段は、画像を撮影する撮像手段であることを特徴とする。
【００１９】
この様な構成によれば、例えばデジタルカメラで撮影を行い、画像取得を行った時点で、記憶されているスケジュールデータの内容と比較を行い、該当するスケジュールデータが存在する場合は、そのスケジュールデータからデータを取得して画像データ名として記憶するので、画像再生時などに所望の画像データが探しやすくなる。
【００２０】
本発明の請求項８は、前記請求項１乃至６いずれかに記載の画像記憶装置において、前記画像取得手段は外部記憶装置に記憶されている画像データを取得することを特徴とする。
【００２１】
この様な構成によれば、例えば外部パーソナルコンピュータのような外部記憶装置に記憶されている画像を画像記憶装置に取得する際に、記憶されているスケジュールデータの内容と比較を行い、該当するスケジュールデータが存在する場合は、そのスケジュールデータからデータを取得して画像データ名として記憶するので、画像再生時などに所望の画像データが探しやすくなる。
【００２２】
本発明の請求項９は、前記請求項１乃至６いずれかに記載の画像記憶装置において、ネットワークに接続を行うネットワーク接続手段と、前記画像取得手段は、前記ネットワーク接続によりネットワーク接続を行い、他の装置の記憶手段に記憶されている画像データを取得することを特徴とする。
【００２３】
この様な構成によれば、例えばインターネット接続を行い、画像のダウンロードを行った時点で、記憶されているスケジュールデータの内容と比較を行い、該当するスケジュールデータが存在する場合は、そのスケジュールデータからデータを取得して画像データ名として記憶するので、画像再生時などに所望の画像データが探しやすくなる。
【発明の効果】
【００２４】
本発明によれば、画像データを記憶されているスケジュールデータを参照して、自動的に分類して振り分けることにより、所望の画像データを探し出すことができる。
【発明を実施するための最良の形態】
【００２５】
以下本発明をデジタルカメラに適用した場合の実施の一形態について図面を参照して説明する。
【００２６】
図１はこのデジタルカメラの外観構成を示す図であり、図１（Ａ）は主に前面の構成、図１（Ｂ）が主に背面の構成を示す図である。
【００２７】
このデジタルカメラ１０は、略短形の薄版状ボディの前面に撮影レンズ２、光学ファインダ３，を配設し、上面にはシャッターキー４、電源キー５を配する。
【００２８】
撮影レンズ２は、例えば短焦点レンズ若しくはズームレンズであり、光学ファインダ３は被写体を確認するためののぞき窓であり、カメラ本体を貫通しており、光学ファインダ９と対になり、電源キー５は、一回押圧操作する毎に電源をオン/オフするキーであり、シャッターキー４は、撮影モード時にレリーズを指示する一方で、メニュー選択等では設定/実行を指示するキーとしても機能するものとする。
【００２９】
また、デジタルカメラ１０の背面には、モードスイッチ（ＳＷ）６、メニューキー７，十字キー８、光学ファインダ９，及び表示部１１を配する。
【００３０】
モードスイッチ６は、例えばスライドスイッチにより構成され、撮影モード「Ｒ」と再生モード「Ｐ」、そしてスケジュールデータ管理モード「Ｓ」とを切り換える。メニューキー７は、各種メニュー選択時に操作する。
【００３１】
十字キー８は各種メニュー操作時に、例えばカーソル移動を行う時に使用したり、スケジュールデータ記録やフォルダ名入力の文字入力を行う際に、文字の選択などに使用するキーである。
【００３２】
光学ファインダ９は光学ファインダ３と対になる物で被写体を確認するためののぞき窓であり、表示部１１は、バックライト付きのカラー液晶パネルで構成されるもので、撮影モード時には電子ファインダとしてモニタ表示を行い、再生モード時には選択した画像を再生表示したり撮影した画像データの管理をする一方で、スケジュールデータ管理モード時には記録されたスケジュールデータの表示を行う。
【００３３】
なお、図示はしないがこのボディ下面には蓋付きのメモリカードスロットが設けられ、このデジタルカメラ１０の記録媒体であるメモリカードが着脱自在に装着されるものとする。
【００３４】
図２はその回路構成を示すブロック図で、１０がデジタルカメラである。このデジタルカメラ１０は、基本モードとして撮影モードと再生モードとスケジュール管理モードを切り換えて設定可能であり、撮影モードでのモニタリング状態においては、モータ（Ｍ）２１の駆動により合焦位置や絞り位置が移動されるレンズ光学系２２の撮影光軸後方に配置された撮像素子であるＣＣＤ２３が、タイミング発生器（ＴＧ）２４、垂直ドライバ２５によって走査駆動され、一定周期毎に結像した光像に対応する光電変換出力を１フレーム分出力する。
【００３５】
この光電変換出力は、アナログ値の信号の状態でＲＧＢの各原色成分毎に適宜ゲイン調整された後に、サンプルホールド回路（Ｓ/Ｈ）２６でサンプルホールドされ、Ａ/Ｄ変換器２７でデジタルデータに変換されてカラープロセス回路２８へ出力される。
【００３６】
このカラープロセス回路２８は、Ａ/Ｄ変換器２７から送られてくる画像のデジタルデータに対する画素補間処理及びγ補正処理を含むカラープロセス処理を行い、デジタル値の輝度信号Ｙ及び色差信号Ｃｂ、Ｃｒを生成してＤＭＡ（Ｄｉｒｅｃｔ  Ｍｅｍｏｒｙ  Ａｃｃｅｓｓ）コントローラ２９に出力する。
【００３７】
ＤＭＡコントローラ２９は、カラープロセス回路２８の出力する輝度信号Ｙ及び色差信号Ｃｂ、Ｃｒを、同じくカラープロセス回路２８からの複合同期信号、メモリ書込みイネーブル信号、及びクロック信号を用いて一度ＤＭＡコントローラ２９内部のバッファに書き込み、ＤＲＡＭインタフェース（Ｉ/Ｆ）３０を介してバッファメモリとして使用されるＤＲＡＭ３１にＤＭＡ転送出力する。
【００３８】
制御部３２は、このデジタルカメラ１０全体の動作制御を司るべく、ＣＰＵと動作プログラムを記憶したＲＯＭ、ワークメモリとしてのＲＡＭ等から構成されるものであり、上記輝度及び色差信号のＤＲＡＭ３１へのＤＭＡ転送終了後に、この輝度及び色差信号をＤＲＡＭインタフェース３０を介してＤＲＡＭ３１より読出し、ＶＲＡＭコントローラ３３を介してＶＲＡＭ３４に書き込む。
【００３９】
デジタルビデオエンコーダ３５は、上記輝度及び色差信号をＶＲＡＭコントローラ３３を介してＶＲＡＭ３４より定期的に読出し、これらのデータを元にビデオ信号を発生して表示部１１に出力する。
【００４０】
この表示部１１は、例えばバックライト付のカラー液晶表示パネルとその駆動回路とで構成され、デジタルカメラ１０本体の背面側に固定的に配設されて、撮影モード時にはモニタ表示部（電子ファインダ）として機能するもので、デジタルビデオエンコーダ３５からのビデオ信号に基づいた表示を行うことで、その時点でＣＣＤ２３での撮像によりＶＲＡＭコントローラ３３から取り込んでいる画像情報に基づく画像を表示することとなる。
【００４１】
このように表示部１１にその時点での画像をモニタ画像としてリアルタイムに表示させている状態で、静止画撮影を行いたいタイミングでキー入力部３６を構成する複数のキー中のシャッターキー４を操作すると、トリガ信号を発生する。
【００４２】
制御部３２は、このトリガ信号に応じてその時点でＣＣＤ２３から取り込んでいる１フレーム分の輝度及び色差信号のＤＲＡＭ３１へのＤＭＡ転送の終了後、直ちにＣＣＤ２３からＤＲＡＭ３１への経路を停止し、記録保存の状態に遷移する。
【００４３】
この記録保存の状態では、制御部３２がＤＲＡＭ３１に書き込まれている１フレーム分の輝度及び色差信号をＤＲＡＭインタフェース３０を介してＹ、Ｃｂ、Ｃｒの各コンポーネント毎に縦８画素×横８画素の基本ブロックと呼称される単位で読出してＪＰＥＧ（Ｊｏｉｎｔ  Ｐｈｏｔｏｇｒａｐｈ  ｃｏｄｉｎｇ  Ｅｘｐｅｒｔｓ  Ｇｒｏｕｐ）回路３７に書き込み、このＪＰＥＧ回路３７でＡＤＣＴ（Ａｄａｐｔｉｖｅ  Ｄｉｓｃｒｅｔｅ  Ｃｏｓｉｎｅ  Ｔｒａｎｓｆｏｒｍ：適応離散コサイン変換）、エントロピ符号化方式であるハフマン符号化等の処理によりデータ圧縮する。
【００４４】
そして、得た符号データを１フレームのデータファイルとして該ＪＰＥＧ回路３７から読出し、このデジタルカメラ１０の記録媒体として着脱自在に装着される、不揮発性メモリであるフラッシュメモリを封入したフラッシュメモリ３８に書き込む。
【００４５】
このフラッシュメモリ３８は、階層型ファイルシステムで制御部３２により管理されており、装置使用者から見て、任意に付加される名称を持つフォルダの中にデータが存在するように、データが管理される。
【００４６】
そして、１フレーム分の輝度及び色差信号の圧縮処理及びフラッシュメモリ３８への全圧縮データの書き込み終了に伴って、制御部３２はＣＣＤ２３からＤＲＡＭ３１への経路を再び起動する。
【００４７】
なお、再生モード時には、制御部３２がメモリカード３８に記録されている画像データを選択的に読出し、ＪＰＥＧ回路３７で撮影モード時にデータ圧縮した手順と全く逆の手順で圧縮されている画像データを伸長し、伸長した画像データをＶＲＡＭコントローラ３３を介してＶＲＡＭ３４に記憶させた上で、このＶＲＡＭ３４より定期的に読出し、これらの画像データを元にビデオ信号を発生して表示部１１で再生出力させる。
【００４８】
なお制御部３２にはさらに、キー入力部３６、ＲＴＣ３９が接続される。
【００４９】
キー入力部３６は、上述したシャッターキー４、電源キー５の他に、基本モードである撮影（ＲＥＣ）モードと再生（ＰＬＡＹ）モードとスケジュールデータを記録管理するスケジュールデータ管理モードを切換えるモード切換えキー６、各種メニュー項目を表示させるメニューキー７、画像や各種詳細モードの選択、メニュー選択項目の指定、文字入力を行うために表示される文字選択表の中から入力する文字を選択等のために上下左右各方向を指示するための十字キー８等から構成され、それらのキー操作に伴なう信号は直接制御部３２へ送出される。
【００５０】
ＲＴＣ（Ｒｅａｌ  Ｔｉｍｅ  Ｃｌｏｃｋ）３９はより制御部３２へ日時データを提供する。これはフラッシュメモリ３８に撮影画像を書き込む際、上記階層型ファイルシステムでタイムスタンプとして用いたり、撮影時刻を制御部３２に提供する。
【００５１】
なお、スケジュール管理モード時には、制御部３２はキー入力部３６を用いてスケジュールデータを入力を行い、スケジュールデータ記憶部４０に記憶する。
【００５２】
また図３はキー入力部３６を用いての文字入力の例を示すものである。表示部１１に図３（Ａ）に示す文字選択表を表示する。この文字選択表は入力可能な文字を表形式に表示したものであり、選択されている文字を白黒反転表示している。白黒反転文字を所望する文字列の一部として入力する場合、シャッターキー４を押下する。
【００５３】
選択されている白黒反転文字以外の文字を選択する場合、図３（Ｂ）に示すように、上下左右、白黒反転文字を移動させたい方向に該当する十字キー８を押下し、白黒反転を移動させ、所望の文字に白黒反転が移動したら、再度シャッターキー４を押下して文字入力を行う。この一連の操作を行い所望する文字列の入力を行う。
【００５４】
また図４はスケジュールデータ記憶部の記憶内容の例を示すものである。スケジュールデータは図４に示すように「日付」「開始時刻」「終了時刻」「件名」「内容」「分類」の項目に分かれており、それぞれの項目を一組として一つのスケジュールデータとしてスケジュール記憶部４０に記憶する。「日付」はスケジュールの存在する日である。「開始時刻」及び「終了時刻」は、スケジュールの予定する開始及び終了の時刻であり、「件名」は予定するスケジュールのタイトルであり、「内容」は予定するスケジュールに関連する事を記憶させる部分であり、「分類」はスケジュールの種類を分けて管理する際に用いる項目である。スケジュールデータは、将来、または過去にわたって存在するスケジュールを記憶させておき、スケジュール管理を行うものである。
【００５５】
次に上記実施形態の動作について説明する。
【００５６】
＜スケジュール管理＞
図５は、基本モードとしてスケジュール管理モードが選択されている状態で主として制御部３２が実行する動作プログラムに基づいた処理内容を示すものである。
【００５７】
予め使用者によりモードスイッチ６でスケジュールデータ管理モード「Ｓ」に入り（ステップＡ１）、キー入力部３６のキー入力より装置使用者により、デジタルカメラ内に日付、開始時刻、終了時刻、の入力を行う（ステップＡ１）。時刻に関しては、開始時刻のみの入力でも記憶可能とする。ステップＳ１で入力された内容を一時的にＤＲＡＭ  Ｉ／Ｆ３０を介してＤＲＡＭ３１に記憶する（ステップＡ２）。
【００５８】
次に件名を入力する（ステップＡ３）。これはスケジュールの内容を端的に表す文字列の入力を行う。ステップＳ３で入力された内容を一時的にＤＲＡＭ  Ｉ／Ｆ３０を介してＤＲＡＭ３１に記憶する（ステップＡ４）。
【００５９】
次に装置使用者によりスケジュールの内容を入力する（ステップＡ５）。これはスケジュールの内容を詳細に表す文字列の入力を行う。ステップＳ５で入力された内容を一時的にＤＲＡＭ  Ｉ／Ｆ３０を介してＤＲＡＭ３１に記憶する（ステップＡ６）。
【００６０】
次に装置使用者によりスケジュールの分類を入力する（ステップＡ７）。これは仕事に関連するスケジュールは「ビジネス」、個人的な内容に関連するスケジュールは「パーソナル」などのように、複数のスケジュールデータを分類するために入力を行う項目である。ステップＳ７で入力された内容を一時的にＤＲＡＭ  Ｉ／Ｆ３０を介してＤＲＡＭ３１に記憶する（ステップＡ８）。
【００６１】
次に一時的にＤＲＡＭ３１上に記憶したデータを一つのスケジュールデータとしてフラッシュメモリ３８に記憶する（ステップＡ９）。その後にこの処理を終了する。
【００６２】
＜新規フォルダ作成＞
予めデジタルカメラの装置使用者が画像データを保存管理するための階層型ファイルシステムを用いたデータ管理方法であるフォルダを作成するための処理である。
【００６３】
図６は、主として制御部３２が実行する動作プログラムに基づいた処理内容を示すものである。
【００６４】
予め装置使用者によりモードスイッチ６を切り替えることにより、再生モードに入り（ステップＢ１）、図示しないフォルダ作成の画面を表示部１１に表示する。
【００６５】
次に撮影画像をフラッシュメモリ３８内に記憶する際に、実際に記憶されるフラッシュメモリ３８での位置とは異なり、別途管理情報を持ち、装置使用者から見て任意の位置に階層的なデータ管理を行うためのデータ記憶位置であるフォルダを作成する（ステップＢ２）。
【００６６】
装置使用者により、ステップＢ２で作成したフォルダにキー入力部３６を用いて、前述のステップＡ３で記憶した件名の一部若しくは全てをファルダ名称として入力する（ステップＢ３）。
【００６７】
制御部３２は、続けてフォルダの作成を行うかの判断を行う（ステップＢ４）続けて複数のフォルダを作成する場合は、ステップＢ２〜ステップＢ４の動作を繰り返し、複数の任意のフォルダを作成する。
【００６８】
所望の数のフォルダを作成した後、上記で作成したフォルダに後述する撮影データの分類保存で比較した結果、分類先のフォルダが該当しない撮影画像の記憶のためのフォルダを作成する（ステップＢ５）。
【００６９】
＜撮影後比較分類処理＞
図７は、基本モードとして撮影モードが選択されている状態で、主として制御部３２が実行する動作プログラムに基づいた処理内容を示すものである。
【００７０】
予め機器使用者によりモードスイッチ６で切り替え操作を行い撮影モードに入る。（ステップＣ１）。
【００７１】
シャッターキー４を操作すると、ステップＣ２でこれを判断し、直ちにＪＰＥＧ回路３７から読出された１フレームのデータファイルを、フラッシュメモリ３８に記憶する状態に遷移する。（ステップＣ３）。
【００７２】
その際にステップＣ２でシャッターキーが押下された時点の日時をＲＴＣ３９を参照し得る（ステップＣ４）。
【００７３】
次に、ステップＣ４で得た日付が、ステップＡ９で登録したスケジュールデータ内で日付が同一日であるスケジュールデータが記憶されているかの判断を行う（ステップＣ５）。同一日付のスケジュールデータが記憶されている場合は、次に該当するスケジュールの中で、ステップＣ４で得た時刻が開始時刻と終了時刻の間の時刻である日時のスケジュールデータが記憶されているかの判断を行う（ステップＣ６）。
【００７４】
ステップＣ６で該当するスケジュールデータが記憶されていると判断された場合、該当したスケジュールデータの件名を撮影画像のファイル名の一部としてフラッシュメモリ３８に記憶する（ステップＣ７）。その後にＣ７でのスケジュールデータの件名を含む、ステップＢ３で作成したフォルダが記憶されているかの判断を行う（ステップＣ８）。該当するフォルダが記憶されている場合、撮影画像を該当するフォルダ内で管理するように管理情報に記憶する（ステップＣ９）。
【００７５】
一方、ステップＣ５、ステップＣ６で該当するスケジュールデータが記憶されていないと判断された場合、デジタルカメラ１０で予め決められた文字列、例えばＣＩＭＧ２００５０４１０.ｊｐｇの様にデジタルカメラ１０の固有の文字列＋撮影日時を示す数字、そして拡張子と呼ばれる一般的にファイルの種類を表すのに用いられる文字列を付加してフラッシュメモリ３８に記憶する。次にステップＢ５で作成した未分類用フォルダないで管理するように管理情報に記憶する（ステップＣ１１）。
【００７６】
また、ステップＣ８で該当するフォルダが記憶されていないと判断された場合、ステップＢ５で作成した未分類用フォルダないで管理するように管理情報に記憶する（ステップＣ１１）。
【００７７】
図８は本発明の一例を説明するための図である。この例では、スケジュールデータをデジタルカメラ内でスケジュールデータを管理することにしているが、別機器、例えばＰＤＡ、携帯電話などでスケジュール管理を行っていても構わない。
【００７８】
図４に示す様なスケジュールデータが事前にスケジュールデータ記憶部に記憶されていたとする。また、事前に「会議」、「テニス」、「スノーボード」のような、デジタルカメラ１０の装置使用者が行うであろうスケジュールの件名が該当するであろう名称のフォルダ（Ｄ１）を作成しておく。
【００７９】
次にデジタルカメラ１０で撮影（Ｄ４）を行う。撮影を行った際、デジタルカメラ１０内ＲＴＣ３９から日時を参照し「２００５年１２月１１日１４：４５」（Ｄ２）を得たとするとする。このＲＴＣ３９から得た日時データのうち日付の部分２００５年１２月１１日に該当スケジュールデータがあるかの比較を行う。この場合「戦略会議」という件名のスケジュールデータが存在する。
【００８０】
次にＲＴＣ３９より得た時刻１４：４５が上記スケジュールデータの「開始時刻」、「終了時刻」の間にあるかの比較を行う。この場合１４：４５は１０：００〜１５：００の間にあるので、撮影データをフラッシュメモリ３８に記憶する際にファイル名として該当するスケジュールデータの件名「戦略会議」と言う文字列を付加して「戦略会議１２１１.ｊｐｇ」（Ｄ３）として記憶する。１２１１は日付を示す数字であり、「.ｊｐｇ」は一般的に拡張子と呼ばれるものであり、ファイルの種類を表すのに用いられる文字列である。
【００８１】
次に先に作成したフォルダのうち、先に該当した件名「戦略会議」の文字列と一致する文字列のフォルダが記憶されているかの比較を行う。この場合「会議」というフォルダが該当するので、先にフラッシュメモリ３８に記憶した「戦略会議１２１１.ｊｐｇ」という名称の撮影画像データはフォルダ「会議」の中にあるとして、階層型ファイル管理システムの管理情報に記憶する（Ｄ５）。
【００８２】
同様に２００５年１２月１２日１２：３０に撮影を行った撮影データは２００５年１２月１２日１０：００〜１５：００のスケジュールデータ「テニス試合」に該当するので「テニス試合１２１２.ｊｐｇ」という名称でフラッシュメモリ３８に記憶され、フォルダ名称「テニス」の中にあるとして管理システムの管理情報に記憶される。
【００８３】
このように、事前にスケジュールデータとファイル管理用のフォルダを作成しておく。そしてシャッターキー４の操作により画像撮影が指示されると、ＲＴＣ３９より撮影日時の取得を行い、撮影日時とスケジュールデータ記憶部４０に記憶されているスケジュールデータの日時を比較して、スケジュール日時の中に撮影日時が含まれる場合、該当するスケジュールデータの件名を画像撮影データのファイル名としてフラッシュメモリ３８に記憶し、更に該スケジュールデータの件名を含むフォルダが記憶されているかの比較を行い、該当するフォルダが記憶されている場合、その画像撮影データを該フォルダの中に入れるとした。
【００８４】
そのため、撮影を行った状況から推測して、撮影画像データの再生を行う際など、所望の撮影画像データを探すことが可能となる。
【００８５】
なお上記実施例ではスケジュールデータの件名を撮影データの名称として記憶し、フォルダ名称がその件名を含むフォルダにあるとして管理情報に記憶するとしたが、これに限らず例えばスケジュールデータの「分類」項目を撮影データの付加データとして記憶しても構わない。
【００８６】
すなわち図９に示すように、図４に示す様なスケジュールデータが事前にスケジュールデータ記憶部に記憶されていたとする。また、事前に「ビジネス」、「パーソナル」のような、デジタルカメラ１０の装置使用者が行うであろうスケジュールの分類名が名称のフォルダ（Ｅ１）を作成しておく。
【００８７】
次にデジタルカメラ１０で撮影（Ｅ２）を行う。撮影を行った際、デジタルカメラ１０内ＲＴＣ３９から日時を参照し「２００５年１２月１１日１４：４５」（Ｅ３）を得たとするとする。このＲＴＣ３９から得た日時データのうち日付の部分２００５年１２月１１日に該当スケジュールデータがあるかの比較を行う。この場合「戦略会議」という件名で分類が「ビジネス」のスケジュールデータが存在する。次にＲＴＣ３９より得た時刻１４：４５が上記スケジュールデータの「開始時刻」、「終了時刻」の間にあるかの比較を行う。この場合１４：４５は１０：００〜１５：００の間にあるので、撮影データをフラッシュメモリ３８に記憶する際にファイル名として該当するスケジュールデータの件名「戦略会議」と言う文字列を付加して「戦略会議１２１１.ｊｐｇ」そしてＥＸＩＦの様な付加データとして「ビジネス」として記憶する（Ｅ４）。
【００８８】
次に先に作成したフォルダのうち、先に該当した分類名「ビジネス」の文字列と一致する文字列のフォルダが記憶されているかの比較を行う。この場合「ビジネス」というフォルダが該当するので、先にフラッシュメモリ３８に記憶した「戦略会議１２１１.ｊｐｇ」という名称の撮影画像データはフォルダ「会議」の中にあるとして、階層型ファイル管理システムの管理情報に記憶する（Ｅ５）。
【００８９】
同様に２００５年１２月１２日１２：３０に撮影を行った撮影データは２００５年１２月１２日１０：００〜１５：００のスケジュールデータ「テニス試合」に該当するので「テニス試合１２１２.ｊｐｇ」という名称と「パーソナル」と言うデータを付加してフラッシュメモリ３８に記憶され、フォルダ名称「パーソナル」の中にあるとして管理システムの管理情報に記憶される。
【００９０】
そのため、より大きな分類で撮影画像データを管理できるので、撮影画像データの再生を行う際などに所望の撮影画像データを探しやすい。
【００９１】
なお、上記実施例ではフォルダで分類するとしたが、これに限らず、撮影画像データをフラッシュメモリ３８に記憶する際に、関連情報を付加して管理情報に記憶させる管理方法でも可能である。
【００９２】
なお、上記実施例では、撮影画像データとしたが、これに限らず、画像の取得の方法はインターネットからのダウンロードを行い記憶装置に保存する、ＰＣに接続されたメモリから画像をコピー若しくはペーストを行う、また、他の記憶装置に記憶されている画像データを取得するタイミングで行うことも可能である。
【００９３】
なお、ステップＣ５で日付の比較、ステップＣ６で時刻の比較を行ったが、日付の比較と時刻の比較をワンステップで行っても可能である。
【図面の簡単な説明】
【００９４】
【図１】本発明の実施形態に係わるデジタルカメラの外観図
【図２】本発明の実施形態に係るデジタルカメラの回路構成を示すブロック図。
【図３】本発明実施の形態に係わるデジタルカメラの文字入力時の表示例を示す図である。
【図４】本実施の形態に係わるデジタルカメラに記憶するスケジュールデータの例を示す図である。
【図５】本発明実施の形態に係わるデジタルカメラによるスケジュールデータ処理に係る動作を示すフローチャートである。
【図６】本発明実施の形態に係わるデジタルカメラによるファルダ作成に係る動作を示すフローチャートである。
【図７】本発明実施の形態に係わるデジタルカメラによる撮影画像データ記憶に係る動作を示すフローチャートである。
【図８】本発明実施の形態に係わるデジタルカメラによる撮影画像データの分類記憶の例を説明するための図である。
【図９】本発明実施の形態に係わるデジタルカメラによる撮影画像データの分類記憶のその他の例を説明するための図である。
【符号の説明】
【００９５】
２…撮影レンズ、３…光学ファインダ、４…シャッターキー、５…電源キー、６…モードスイッチ（ＳＷ）、７…メニューキー、８…十字キー、９…光学ファインダ、１０…デジタルカメラ、１１…表示部、２１…モータ（Ｍ）、２２…レンズ光学系、２３…ＣＣＤ、２４…タイミング発生器（ＴＧ）、２５…垂直ドライバ、２６…サンプルホールド回路（Ｓ/Ｈ）、２７…Ａ/Ｄ変換器、２８…カラープロセス回路、２９…ＤＭＡコントローラ、３０…ＤＲＡＭインタフェース（Ｉ/Ｆ）、３１…ＤＲＡＭ、３２…制御部、３３…ＶＲＡＭコントローラ、３４…ＶＲＡＭ、３５…デジタルビデオエンコーダ、３６…キー入力部、３９…ＲＴＣ、４０…スケジュールデータ記憶部
【図１】
2006287377.tif 000003
【図２】
2006287377.tif 000004
【図３】
2006287377.tif 000005
【図４】
2006287377.tif 000006
【図５】
2006287377.tif 000007
【図６】
2006287377.tif 000008
【図７】
2006287377.tif 000009
【図８】
2006287377.tif 000010
【図９】
2006287377.tif 000011